(57)【特許請求の範囲】
【請求項１】
金属やプラスチック材などの硬質材で形成される帽体と、前記帽体の内部に配置される衝撃吸収用のライナーと、前記ライナーよりも更に頭部側に配置されるハンモックとを備えたヘルメットであって、
前記ライナーを、頭頂部から前頭部を覆う前部吸収材と、前記頭頂部から後頭部を覆う後部吸収材とから構成し、
前記前部吸収材を、前記頭頂部が中心で前記前頭部側が円弧状に広がった扇形に構成し、
前記後部吸収材を、前記頭頂部が中心で前記後頭部側が円弧状に広がった扇形に構成し、
前記後部吸収材の両側部には、側頭部に位置するように前記前部吸収材側に延出させた一対の側部材を一体に備え、
一対の前記側部材と前記前部吸収材との間には側頭空間を形成したことを特徴とするヘルメット。
【請求項２】
前記前部吸収材の前記円弧状の中心部に前部突起部を設けたことを特徴とする請求項１に記載のヘルメット。
【請求項３】
前記前部吸収材と前記後部吸収材とが前記頭頂部において一体に連結され、前記側頭空間を前記頭頂部の両側に配置し、前記側部材の先端と前記前部吸収材との隙間を、前記側頭空間よりも狭めたことを特徴とする請求項１又は請求項２に記載のヘルメット。
【請求項４】
前記前部吸収材と前記後部吸収材とを前記頭頂部において分割したことを特徴とする請求項１又は請求項２に記載のヘルメット。
【請求項５】
前記前部吸収材と前記後部吸収材に、ハンモック取り付け孔を設けたことを特徴とする請求項１から請求項４に記載のヘルメット。
【請求項６】
金属やプラスチック材などの硬質材で形成される帽体の内部に配置されるヘルメット用ライナーであって、
頭頂部から前頭部を覆う前部吸収材と、前記頭頂部から後頭部を覆う後部吸収材とから構成し、
前記前部吸収材を、前記頭頂部が中心で前記前頭部側が円弧状に広がった扇形に構成し、
前記後部吸収材を、前記頭頂部が中心で前記後頭部側が円弧状に広がった扇形に構成し、
前記後部吸収材の両側部には、側頭部に位置するように前記前部吸収材側に延出させた一対の側部材を一体に備え、
一対の前記側部材と前記前部吸収材との間には側頭空間を形成し、
前記前部吸収材と前記後部吸収材とが前記頭頂部において一体に連結され、前記側頭空間を前記頭頂部の両側に配置し、前記側部材の先端と前記前部吸収材との隙間を、前記側頭空間よりも狭めたことを特徴とするヘルメット用ライナー。
【請求項７】
金属やプラスチック材などの硬質材で形成される帽体の内部に配置されるヘルメット用ライナーであって、
頭頂部から前頭部を覆う前部吸収材と、前記頭頂部から後頭部を覆う後部吸収材とから構成し、
前記前部吸収材を、前記頭頂部が中心で前記前頭部側が円弧状に広がった扇形に構成し、
前記後部吸収材を、前記頭頂部が中心で前記後頭部側が円弧状に広がった扇形に構成し、
前記後部吸収材の両側部には、側頭部に位置するように前記前部吸収材側に延出させた一対の側部材を一体に備え、
一対の前記側部材と前記前部吸収材との間には側頭空間を形成し、
前記前部吸収材と前記後部吸収材とを前記頭頂部において分割したことを特徴とするヘルメット用ライナー。
【発明の詳細な説明】
【技術分野】
【０００１】
本発明は、例えば、建築、土木、工場、医療、災害、消防、警備などの現場で用いられるヘルメット及びヘルメット用ライナーに関する。
【背景技術】
【０００２】
従来、安全帽又は保安帽としてのヘルメットは、金属やプラスチック材などの硬質材で形成される帽体と、この帽体の内部に配置される衝撃吸収用のライナーと、このライナーよりも更に頭部側に配置されるハンモックとを備えたものが一般的であり、外部からの衝突に対しては帽体が頭部を保護するとともに、ライナーやハンモックによって頭部への衝撃を緩和している。
なお、一般的な半球状のライナーではなく、ライナーの一部に切り欠きを設けた構成が提案されている（特許文献１）。
【先行技術文献】
【特許文献】
【０００３】
【特許文献１】特開２００９−２４３００号公報
【発明の概要】
【発明が解決しようとする課題】
【０００４】
しかし、特許文献１に示されるライナーでは、前頭部、後頭部、及び両側頭部の４カ所を残して、それらの間に切り欠きを設けているので、帽体や頭部に合わせた変形は生じない。
【０００５】
そこで本発明は、ライナーを帽体や頭部にあわせやすくなるヘルメット及びヘルメット用ライナーを提供することを目的とする。
【課題を解決するための手段】
【０００６】
請求項１記載の本発明のヘルメットは、金属やプラスチック材などの硬質材で形成される帽体と、前記帽体の内部に配置される衝撃吸収用のライナーと、前記ライナーよりも更に頭部側に配置されるハンモックとを備えたヘルメットであって、前記ライナーを、頭頂部から前頭部を覆う前部吸収材と、前記頭頂部から後頭部を覆う後部吸収材とから構成し、前記前部吸収材を、前記頭頂部が中心で前記前頭部側が円弧状に広がった扇形に構成し、前記後部吸収材を、前記頭頂部が中心で前記後頭部側が円弧状に広がった扇形に構成し、前記後部吸収材の両側部には、側頭部に位置するように前記前部吸収材側に延出させた一対の側部材を一体に備え、一対の前記側部材と前記前部吸収材との間には側頭空間を形成したことを特徴とする。
請求項２記載の本発明は、請求項１に記載のヘルメットにおいて、前記前部吸収材の前記円弧状の中心部に前部突起部を設けたことを特徴とする。
請求項３記載の本発明は、請求項１又は請求項２に記載のヘルメットにおいて、前記前部吸収材と前記後部吸収材とが前記頭頂部において一体に連結され、前記側頭空間を前記頭頂部の両側に配置し、前記側部材の先端と前記前部吸収材との隙間を、前記側頭空間よりも狭めたことを特徴とする。
請求項４記載の本発明は、請求項１又は請求項２に記載のヘルメットにおいて、前記前部吸収材と前記後部吸収材とを前記頭頂部において分割したことを特徴とする。
請求項５記載の本発明は、請求項１から請求項４に記載のヘルメットにおいて、前記前部吸収材と前記後部吸収材に、ハンモック取り付け孔を設けたことを特徴とする。
請求項６記載の本発明のヘルメット用ライナーは、金属やプラスチック材などの硬質材で形成される帽体の内部に配置されるヘルメット用ライナーであって、頭頂部から前頭部を覆う前部吸収材と、前記頭頂部から後頭部を覆う後部吸収材とから構成し、前記前部吸収材を、前記頭頂部が中心で前記前頭部側が円弧状に広がった扇形に構成し、前記後部吸収材を、前記頭頂部が中心で前記後頭部側が円弧状に広がった扇形に構成し、前記後部吸収材の両側部には、側頭部に位置するように前記前部吸収材側に延出させた一対の側部材を一体に備え、一対の前記側部材と前記前部吸収材との間には側頭空間を形成し、前記前部吸収材と前記後部吸収材とが前記頭頂部において一体に連結され、前記側頭空間を前記頭頂部の両側に配置し、前記側部材の先端と前記前部吸収材との隙間を、前記側頭空間よりも狭めたことを特徴とする。
請求項７記載の本発明のヘルメット用ライナーは、金属やプラスチック材などの硬質材で形成される帽体の内部に配置されるヘルメット用ライナーであって、頭頂部から前頭部を覆う前部吸収材と、前記頭頂部から後頭部を覆う後部吸収材とから構成し、前記前部吸収材を、前記頭頂部が中心で前記前頭部側が円弧状に広がった扇形に構成し、前記後部吸収材を、前記頭頂部が中心で前記後頭部側が円弧状に広がった扇形に構成し、前記後部吸収材の両側部には、側頭部に位置するように前記前部吸収材側に延出させた一対の側部材を一体に備え、一対の前記側部材と前記前部吸収材との間には側頭空間を形成し、前記前部吸収材と前記後部吸収材とを前記頭頂部において分割したことを特徴とする。
【発明の効果】
【０００７】
本発明によれば、頭頂部を中心として前頭部側と後頭部側とが近接又は離間する方向に変形しやすくなり、ライナーを帽体や頭部にあわせやすくなる。
また本発明によれば、側頭部には、前部吸収材側に延出させた一対の側部材を後部吸収材に一体に設けることで側頭部の保護を図るとともに側頭空間によって頭部の蒸れを防止できる。
【図面の簡単な説明】
【０００８】
【図１】本発明の一実施例によるヘルメットの一部断面側面図
【図２】同ヘルメットの底面図
【図３】同ヘルメットに用いるライナーの下面図
【図４】同ライナーの上面図
【図５】同ライナーの斜視図
【図６】本発明の他の実施例によるヘルメットの一部断面側面図
【図７】同実施例のヘルメットにライナーを設けた状態を示す一部断面側面図
【図８】同ヘルメットの底面図
【図９】同ヘルメットに用いるライナーの下面図
【発明を実施するための形態】
【０００９】
本発明の第１の実施の形態によるヘルメットは、ライナーを、頭頂部から前頭部を覆う前部吸収材と、頭頂部から後頭部を覆う後部吸収材とから構成し、前部吸収材を、頭頂部が中心で前頭部側が円弧状に広がった扇形に構成し、後部吸収材を、頭頂部が中心で後頭部側が円弧状に広がった扇形に構成し、後部吸収材の両側部には、側頭部に位置するように前部吸収材側に延出させた一対の側部材を一体に備え、一対の側部材と前部吸収材との間には側頭空間を形成したものである。本実施の形態によれば、前部吸収材及び後部吸収材を、頭頂部を中心とした扇形に構成するとともに側頭空間を形成したことで、頭頂部を中心として前頭部側と後頭部側とが近接又は離間する方向に変形しやすくなり、ライナーを帽体や頭部にあわせやすくなる。また、側頭部には、前部吸収材側に延出させた一対の側部材を後部吸収材に一体に設けることで側頭部の保護を図るとともに側頭空間によって頭部の蒸れを防止できる。
本発明の第２の実施の形態は、第１の実施の形態によるヘルメットにおいて、前部吸収材の円弧状の中心部に前部突起部を設けたものである。本実施の形態によれば、特に衝突を受けやすい前頭部の保護を強化することができる。
本発明の第３の実施の形態は、第１又は第２の実施の形態によるヘルメットにおいて、前部吸収材と後部吸収材とが頭頂部において一体に連結され、側頭空間を頭頂部の両側に配置し、側部材の先端と前部吸収材との隙間を、側頭空間よりも狭めたものである。本実施の形態によれば、側頭空間を大きくするとともに側頭部の保護を確実に行うことができる。
本発明の第４の実施の形態は、第１又は第２の実施の形態によるヘルメットにおいて、前部吸収材と後部吸収材とを頭頂部において分割したものである。本実施の形態によれば、分割によって頭頂部を中心として前頭部側と後頭部側とが近接又は離間する方向に自由に変形でき、ライナーを帽体や頭部にあわせやすくなる。
本発明の第５の実施の形態は、第１から第４の実施の形態によるヘルメットにおいて、前部吸収材と後部吸収材に、ハンモック取り付け孔を設けたものである。本実施の形態によれば、ハンモックにライナーを取り付けることで、ライナーと帽体との隙間を確保できるとともに、ハンモックとともに頭部に合わせた保護を行うことができる。
本発明の第６の実施の形態によるヘルメット用ライナーにおいて、頭頂部から前頭部を覆う前部吸収材と、頭頂部から後頭部を覆う後部吸収材とから構成し、前部吸収材を、頭頂部が中心で前頭部側が円弧状に広がった扇形に構成し、後部吸収材を、頭頂部が中心で後頭部側が円弧状に広がった扇形に構成し、後部吸収材の両側部には、側頭部に位置するように前部吸収材側に延出させた一対の側部材を一体に備え、一対の側部材と前部吸収材との間には側頭空間を形成し、前部吸収材と後部吸収材とが頭頂部において一体に連結され、側頭空間を頭頂部の両側に配置し、側部材の先端と前部吸収材との隙間を、側頭空間よりも狭めたものである。本実施の形態によれば、前部吸収材及び後部吸収材を、頭頂部を中心とした扇形に構成するとともに側頭空間を形成したことで、頭頂部を中心として前頭部側と後頭部側とが近接又は離間する方向に変形しやすくなり、ライナーを帽体や頭部にあわせやすくなる。また、側頭部には、前部吸収材側に延出させた一対の側部材を後部吸収材に一体に設けることで側頭部の保護を図るとともに側頭空間によって頭部の蒸れを防止できる。更に、側頭空間を大きくするとともに側頭部の保護を確実に行うことができる。
本発明の第７の実施の形態によるヘルメット用ライナーにおいて、頭頂部から前頭部を覆う前部吸収材と、頭頂部から後頭部を覆う後部吸収材とから構成し、前部吸収材を、頭頂部が中心で前頭部側が円弧状に広がった扇形に構成し、後部吸収材を、頭頂部が中心で後頭部側が円弧状に広がった扇形に構成し、後部吸収材の両側部には、側頭部に位置するように前部吸収材側に延出させた一対の側部材を一体に備え、一対の側部材と前部吸収材との間には側頭空間を形成し、前部吸収材と後部吸収材とを頭頂部において分割したものである。本実施の形態によれば、分割によって頭頂部を中心として前頭部側と後頭部側とが近接又は離間する方向に自由に変形でき、ライナーを帽体や頭部にあわせやすくなる。また、側頭部には、前部吸収材側に延出させた一対の側部材を後部吸収材に一体に設けることで側頭部の保護を図るとともに側頭空間によって頭部の蒸れを防止できる。
【実施例】
【００１０】
以下本発明の実施例について図面とともに詳細に説明する。
図１は本発明の一実施例によるヘルメットの一部断面側面図、図２は同ヘルメットの底面図、図３は同ヘルメットに用いるライナーの下面図、図４は同ライナーの上面図、図５は同ライナーの斜視図である。
図１及び図２に示すように、ヘルメット１０は、金属やプラスチック材などの硬質材で形成される帽体１１と、この帽体１１の内部に設けられた衝撃吸収用のライナー２０と、このライナー２０よりも更に頭部側に配置されるハンモック３０と、装着者の頭部周囲を囲繞するヘッドバンド１２とを備えている。帽体１１の両側部には、装着者側に延出させた顎ひも４０を有し、帽体１１の前頭部側には、装着者の視野方向に向けてシールド１３を有している。なお、ヘッドバンド１２には、装着者の頭部に合わせてサイズを変更できるサイズ調整機能を備え、このサイズ調整機能は頭部側に配置される。
ハンモック３０は、頭頂部から放射状に延出する複数の脚部３１によって構成され、脚部３１の端部は帽体１１の内周面に取り付けられる。
【００１１】
次に、図３から図５を用いてライナー２０の構成について説明する。
ライナー２０は、頭頂部１から前頭部２を覆う前部吸収材２０Ａと、頭頂部１から後頭部３を覆う後部吸収材２０Ｂとから構成される。
前部吸収材２０Ａは、頭頂部１が中心で前頭部２側が円弧状に広がった扇形に構成し、後部吸収材２０Ｂは、頭頂部１が中心で後頭部３側が円弧状に広がった扇形に構成している。また、後部吸収材２０Ｂの両側部には、側頭部４に位置するように前部吸収材２０Ａ側に延出させた一対の側部材２０Ｃを一体に備え、一対の側部材２０Ｃと前部吸収材２０Ａとの間には側頭空間２１を形成している。
前部吸収材２０Ａの円弧状の中心部には前部突起部２２を設け、後部吸収材２０Ｂの円弧状の中心部に後部突起部２３を設けている。
前部吸収材２０Ａと後部吸収材２０Ｂとは、頭頂部１において一体に連結され、側頭空間２１を頭頂部１の両側に配置し、側部材２０Ｃの先端と前部吸収材２０Ａとの隙間２４は、側頭空間２１よりも狭めている。
また、図４に示すように、ライナーの頭部側の凸面に肉厚部２５を設けている。この肉厚部２５は、前部突起部２２から後部突起部２３までに渡って設けている。
【００１２】
本実施例によれば、前部吸収材２０Ａ及び後部吸収材２０Ｂを、頭頂部１を中心とした扇形に構成するとともに側頭空間２１を形成したことで、頭頂部１を中心として前頭部側と後頭部側とが近接又は離間する方向に変形しやすいため、ライナー２０を帽体１１や頭部にあわせやすくなる。また、一対の側部材２０Ｃを後部吸収材２０Ｂに一体に設け、側部材２０Ｃを前部吸収材２０Ａ側に延出させたことで側頭部の保護を図るとともに側頭空間２１によって頭部の蒸れを防止できる。
また本実施例によれば、特に衝突を受けやすい前頭部２の保護を前部突起部２２によって強化することができる。
また本実施例によれば、側頭空間２１を大きくするとともに側頭部４の保護を確実に行うことができる。
また本実施例によれば、後頭部３の保護を後部突起部２３によって強化することができる。
また本実施例によれば、肉厚部２５によってライナー２０の強度を高めるとともに、発砲材での製造時に発砲粒子の流れをスムーズにすることができる。
【００１３】
以下本発明の他の実施例について説明する。
図６は本発明の他の実施例によるヘルメットの一部断面側面図、図７は同実施例のヘルメットにライナーを設けた状態を示す一部断面側面図、図８は同ヘルメットの底面図、図９は同ヘルメットに用いるライナーの下面図である。なお、上記実施例と同一部材には同一符号を付して説明を省略し、上記実施例と相違する構成についてのみ以下に説明する。
本実施例によるライナー２０は、前部吸収材２０Ａと後部吸収材２０Ｂに、ハンモック取り付け孔２６を設け、ハンモック３０の取付片３２をこのハンモック取り付け孔２６に挿入固定するものである。本実施例のように、ハンモック３０にライナー２０を取り付けることで、ライナー２０と帽体１１との隙間を確保できるとともに、ハンモック３０とともに頭部に合わせた保護を行うことができる。
また、図９に示すように、本実施例では、前部吸収材２０Ａと後部吸収材２０Ｂとを頭頂部１において分割している。本実施例によれば、分割によって頭頂部１を中心として前頭部側２０Ａと後頭部側２０Ｂとが近接又は離間する方向に自由に変形でき、ライナー２０を帽体１１や頭部にあわせやすくなる。
なお、本実施例で説明したハンモック取り付け孔２６は、図１から図５に示す実施例に適用することもできる。
【産業上の利用可能性】
【００１４】
本発明のヘルメットは、建築作業や土木作業などの工事現場における頭部保護用のヘルメット、オートバイなどの車両用のヘルメット、火災や地震などの震災時における頭部防護用のヘルメットに利用することができる。
【符号の説明】
【００１５】
１  頭頂部
２  前頭部
３  後頭部
４  側頭部
１０  ヘルメット
１１  帽体
１２  ヘッドバンド
２０  ライナー
２０Ａ  前部吸収材
２０Ｂ  後部吸収材
２０Ｃ  側部材
２１  側頭空間
２２  前部突起部
２３  後部突起部
２４  隙間
２５  肉厚部
２６  ハンモック取り付け孔
３０  ハンモック
【図１】
0005475370.tif 000002
【図２】
0005475370.tif 000003
【図３】
0005475370.tif 000004
【図４】
0005475370.tif 000005
【図５】
0005475370.tif 000006
【図６】
0005475370.tif 000007
【図７】
0005475370.tif 000008
【図８】
0005475370.tif 000009
【図９】
0005475370.tif 000010